(57)【要約】電気バリカン（２１）と着脱可能な付属品（１５．２）として形成された枝毛剪断装置（２０）であって、この付属品（１５．２）が第１及び第２方向転換部（４１，４２）を備えており、これらが相互に平行に間隔Ｘを於いて固定配置されている。第３方向転換部（４３）が第１及び第２方向転換部（４１，４２）の間を通って、回転支点（１４．２）によって、第１位置Ａから、第１及び第２方向転換部（４１，４２）に平行な第２位置Ｂに、移動可能である。第１及び第２方向転換部（４１，４２）の下方に位置する毛髪が第３方向転換部（４３）によって支持され、実質的に逆Ｕ字形となる。電気バリカン（２１）に付属した剪断頭部（２７）の位置が固定されていることによって、毛髪（２８）の束が方向転換部（４１．４２，４３）を経て、第３方向転換分（４３）の上部域Ｙに突き出た際に、裂け目の生じた毛先部分（３０）だけが剪断頭部（２７）によって剪断される。【選択図】図１１
2004512874.tif 000002
【特許請求の範囲】
【請求項１】
・枝毛剪断装置（２０、２０．１、２０．２）が電気バリカン（２１）に対して取り外し可能な付属品（１５、１５．１、１５．２）として作られていること、
・付属品（１５、１５．１、１５．２）が第１方向転換部（４１）および第２方向転換部（４２）を備えていて、これらが相互に間隔（Ｘ）を置いて平行に配置されていること、
・第３方向転換部（４３）が第１位置（Ａ）から、回転支点（１４、１４．１、１４．２）に関して第１方向転換部（４１）と第２方向転換部（４２）の間を通って、第１および第２方向転換部（４１、４２）に対して平行な第２位置（Ｂ）に移行でき、これによって第１および第２方向転換部（４１、４２）の下方位置にあった毛髪（２８）が第３方向転換部（４３）に支えられて移行し、そこにおいて実質的に逆向きのＵ字形を形成すること、
・毛髪（２８）が方向転換部（４１、４２、４３）を経て引っ張られる際に、第３方向転換部（４３）の上部域（Ｙ）おいて突き出てくる、裂け目の生じた毛先部分（３０）だけが剪断頭部（２７）によって剪断除去され得るように、電気バリカン（２１）の剪断頭部（２７）が固定位置に配置されていること、
を特徴とする枝毛剪断装置。
【請求項２】
・枝毛剪断装置（２０）が左利き用のおよび／あるいは右利き用の取っ手（１）を備えていること、
・第３方向転換部（４３）に取っ手（１）の回転支点（１４）が設けられていること、
・拇指で操作できる取っ手部分（２３）の脚部（２２）が滑らかな表面（２４）を備えた円筒形の毛髪支持部（２）として作られていること、
・この毛髪支持部（２）に対置して、指で操作できる取っ手部分（２３）の脚部（２５）が三角形あるいは四角形の機能受け部（３）を備えていること、
・この場合に毛髪支持部（２）および機能受け部（３）が、取っ手部分（２３）の中に嵌め込まれていること、あるいは射出成形法によって取っ手部分（２３）と一体に作られていること、
・機能受け部（３）に相応した三角形あるいは四角形の内部（２６）を有する円筒形の機能支持部（４）が先端においてジャーナル（５）を備えていること、
・機能支持部（４）が機能受け部（３）の両側に取り付けできること、そしてそれ自体公知の固定手段を用いて確実に固定できること、
・機能支持部（４）のジャーナル（５）上にそれぞれ２個の揺り腕（８）が鏡面対称に取り付けられていて、軸受けにおいて相互に支えられていること、
・弾性要素（７）がジャーナル（５）の上方に圧縮バネの形態で、あるいはジャーナル（５）の下方に引張りバネの形態で装置されており、これによって揺り腕（８）が相互に動くこと、
・鏡面対称の揺り腕（８）が固定あるいは回転ガイドローラー（９）と相互に連結されていること、
・相対している揺り碗（８）の間隔が最も広い個所に、電気バリカン（２１）の剪断頭部（２７）を着脱可能に取り付けるための受入れ部（１１）が設けられていること、
・機能支持部（４）、弾性要素（７）によって相対的に可動の揺り腕（８）、ガイドローラー（９）および受入れ部（１１）が全体で一つの互換性構造群を成していて、この構造群が機能受け部（３）に取り付けられて、毛髪支持部（２）と相互に作用し合うこと、
・枝毛剪断装置（２０）が開いた状態において、毛髪支持部（２）によって剪断すべき毛髪（２８）が支えられ、他方において機能支持部（４）に設けられている中心隆起（６）によって揺り腕（８）およびガイドローラー（９）が毛髪支持部（２）に相対して中心位置に据えられること、
・枝毛剪断装置（２０）が閉じるのに伴なって、毛髪（２８）が毛髪支持部（２）に支えられながら自動的に開くガイドローラー（９）の間に誘導され、枝毛剪断装置（２０）が閉じた状態において、相互に接近するガイドローラー（９）によって毛髪（２８）が毛髪支持部（２）の周囲に接してぴんと張られた状態に保持されること、
・揺り腕（８）の内側に空間（２９）が設けられていることによって、毛髪支持部（２）が周囲に接触しないこと、従ってガイドローラー（９）が相互に接近した位置を取ることができること、
・閉じた状態の枝毛剪断装置（２０）に関して毛髪（２８）が引き出される場合に、ガイドローラー（９）の周囲に設けられている細溝によって毛髪の幅が一定に保持されること、これによって枝毛（３０）が最適の状態で剪断され得ること、
・ガイドローラー（９）の端部がフランジのように突き上がって揺り腕（８）内に埋め込まれていることによって、毛髪の挟み込みが避けられること、
・毛髪支持部（２）によって支えられている、裂け目の生じた毛先部分（３０）が、受入れ部（１１）に対して取り付けられている電気バリカン（２１）によって、一直線に剪断除去され得ること、その場合に電気バリカン（２１）が平行に配置されているガイドローラー（９）に対して１５ないし４５度の角度で、毛髪支持部（２）の対称軸から離れた位置に配置されていること、および
・毛髪支持部（２）に対する電気バリカン（２１）の距離を指示する剪断刃域指示体（１３）によって、健全な毛髪の剪断が阻止されること、
を特徴とする、請求項１に記載の枝毛剪断装置。
【請求項３】
第１方向転換部（４１）および第２方向転換部（４２）が付属品（１５．１）に固定連結されているのに対して、第３方向転換部（４３）が付属品（１５．１）の側面において片側が回転支点（１４．１）と連結されていること、および第３方向転換部（４３）の自由端（４４）に誘導部（４５）が設けられていること、これによって第３方向転換部（４３）の位置を第１位置（Ａ）から第２位置（Ｂ）に、またその逆の位置に移行させ得ることを特徴とする、請求項１に記載の枝毛剪断装置。
【請求項４】
第１方向転換部（４１）および第２方向転換部（４２）が付属品（１５．２）と固定連結されているのに対して、第３方向転換部（４３）が側面において回転レバー（４６）と連結されていて、この回転レバー（４６）が回転できるように付属品（１５．２）に関して回転支点（１４．２）と連結されていること、これによって第３方向転換部（４３）を第１位置（Ａ）から第２位置（Ｂ）に、またその逆の位置に移行させ得ることを特徴とする、請求項１に記載の枝毛剪断装置。
【請求項５】
第１、第２および第３方向転換部（４１、４２、４３）がＵ字形の断面を有することを特徴とする、請求項３あるいは４に記載の枝毛剪断装置。
【請求項６】
第３方向転換部（４３）が付属品（１５．１、１５．２）に対して右側あるいは／および左側に選択的に取り付けることができるように作られていることを特徴とする、請求項３あるいは４に記載の枝毛剪断装置。
【請求項７】
第１、第２および第３方向転換部（４１、４２、４３）がそれぞれ滑らかな表面（２４）を有することを特徴とする、請求項３あるいは４に記載の枝毛剪断装置。
【請求項８】
第１、第２および第３方向転換部（４１、４２、４３）が選択的にそれぞれ固定あるいは軸回転可能なローラー（９）として用意されていることを特徴とする、請求項３あるいは４に記載の枝毛剪断装置。
【請求項９】
付属品（１５．１、１５．２）が、第３方向転換部（４３）を除いて、単一部分品として合成樹脂から製造されていることを特徴とする、請求項３あるいは４に記載の枝毛剪断装置。
【請求項１０】
第３方向転換部（４３）が第１位置（Ａ）および第２位置（Ｂ）に対する留め機構（４７）を備えていることを特徴とする、請求項３あるいは４に記載の枝毛剪断装置。
【請求項１１】
付属品（１５．１、１５．２）が剪断頭部（２７）を着脱可能に取り付けるための受入れ部（１１）を備えていることを特徴とする、請求項３あるいは４に記載の枝毛剪断装置。
【請求項１２】
第３方向転換部（４３）が毛髪押さえ機構（４８）を備えていて、これが第１方向転換部（４１）あるいは第２方向転換部（４２）の少なくとも一方と対応することを特徴とする、少なくとも請求項１に記載の枝毛剪断装置。
【請求項１３】
毛髪押さえ機構（４８）がブラシ（４９）を備えていることを特徴とする、少なくとも請求項１に記載の枝毛剪断装置。
【発明の詳細な説明】
【０００１】
【発明の属する技術分野】
本発明は、裂け目の生じた毛髪先端部（枝毛）をする除去するための業務用（理髪店用）および家庭用の枝毛剪断装置に関する。
【０００２】
【従来の技術】
一般には、先端部分に裂け目の生じた長い毛髪を捩じって束にし、突き出た枝毛を、鋏を用いて手で取り除くという方法が知られている。この場合裂け目の生じた毛髪の内、束の外側に位置する毛髪だけが剪断される。従ってこの作業は何度も繰り返し行わなければならず、多大な時間を必要とする。
ＤＥ−ＯＳ３４２２９５２には、損傷した毛先部分を簡単な方法で迅速に除去することができるという、毛先剪断器具が記載されている。この場合、この剪断器具は支持部と剃刀を備えている。支持部は取っ手に連結されており、この支持部の外層面の長さ方向の少なくとも一部分に櫛状の刻み目が付けられている。この刻み目の間にそれぞれ剃刀が配置されていて、刻み目の動きに応じて剃刀が動く。この最も単純な実施形態においては、剪断器具の支持部に櫛状の刻み目が二列設けられていて、その間に剃刀が固定配置されている。剃刀は波状研磨面を備えていて、これによって毛先をきれいに剪断することができるということである。別の実施形態においては、特に電動用器具に対して有用な剪断器具においては、支持部が中空体にから成っていて、櫛状の刻み目間においてこの中空体の壁にスリットが設けられている。このスリットを通して剃刀が支持部壁内に誘導されていて、そこにおいて支持部軸に対して同軸上に配置されているホルダーと連結されるている。これに対して、剃刀ホルダーの駆動部である取っ手に電動機あるいは振動式磁気伝動機を配置すると、ホルダーと一緒に剃刀が迅速に往復運動する。ここに記載の剪断器具は裂け目の生じた毛先部分の剪断に有効に使用することができるということである。すなわち支持部の剃刀面を毛髪束の表面上に繰り返し誘導すると、櫛状の刻み目によって拘束された毛先部分が剪断されるということである。
先行技術である上記の毛先剪断器具は、その構造形態に基づいて、裂け目の生じた毛先部分のなかで条件に合ったものだけを除去することができる。剃刀を直接毛髪に当てると、枝毛だけでなく毛髪全体が剪断される。
毛髪は、湿らせた状態においては、問題なく剃刀で切ることができるが、この場合は裂け目の生じた毛先部分を識別することはできない。これに対して乾燥状態での剪断は厄介であり、苦痛を伴なう。この場合は細い毛髪しか切断することができず、また刃を頻繁に取り替えなければならない。このように上記の毛先剪断器具には多大な時間および費用がかかる。
【０００３】
【発明が解決しようとする課題】
そこで本発明は、裂け目の生じた毛先部分（枝毛）を健全な毛髪から簡単に、快適に除去することができる、しかも使用に時間および費用のかからない枝毛剪断装置を提供することを課題とする。
【０００４】
【課題を解決するための手段】
上記の課題は請求項１に記載の特徴に基づいて解決される。
本発明によれば、第１実施例に基づいて、枝毛剪断装置が開かれている状態において、処理すべき毛髪を毛髪支持部によって支えることができる。枝毛剪断装置の開閉行程において、バネの力によって相互に圧迫されているガイドローラーが毛髪支持部に対して開かれ、毛髪支持部の上方において揺り動かされる。毛髪は毛髪支持部の周囲に固定され、相対するガイドローラーによって毛髪支えの下方に引っ張られる。
円筒形の毛髪支持部から突き出た枝毛は、毛髪から離れた位置にある受入れ部に配置されている電気バリカンによって、滑らかな切り口で剪断除去される。
【０００５】
【発明の実施の形態】
次ぎに三つの実施例に基づいて本発明をさらに詳しく説明する。
図１に示されている電気バリカン２１用の枝毛剪断装置２０は、第１実施例である。この枝毛剪断装置２０は電気バリカン２１に対して取り外しできる付属品１５として作られている。付属品１５は第１方向転換部４１および第２方向転換部４２を備えており、これらは相互にＸの間隔を置いて平行に配置されている。第３方向転換部４３は第１位置Ａから、回転支点１４に関して第１方向転換部４１と第２方向転換部４２の間を通って、第１方向転換部４１および第２方向転換部４２に対して平行な第２位置Ｂに移行することができ、これに伴なって第１方向転換部４１および第２方向転換部４２の下方に位置していた毛髪２８が第３方向転換部４３に支えられて移行し、実質的に逆向きのＵ字形を形成する。この場合に電気バリカン２１の剪断頭部２７が固定位置に配置されていることによって、毛髪２８が方向転換部４１、４２、４３を経て引っ張られる際に、第３方向転換部４３の上部域Ｙにおいて突き出た裂け目の生じた毛先部分３０だけが剪断頭部２７によって剪断され得る。操作しやすいように、枝毛剪断装置２０は、共通回転支点１４に関して、左利き用および／あるいは右利き用の一対の取っ手１を備えている。手動操作可能な取っ手部分２３の下方脚部２２は、非常に滑らかな表面２４を有する円筒形の毛髪支持部２として作られている。この毛髪支持部２に対置して、他方の手動操作可能な取っ手部分２３の上方脚部２５は、軸回転に対して、三角形あるいは四角形の機能受け部３を備えている。この場合に毛髪支持部２および機能受け部３は、取っ手部分２３、２３．１に嵌め込む形態で、あるいは射出成形法において取っ手部分２３、２３．１と一体化した形態で製造することができる。機能受け部３の形態に相応した三角形あるいは四角形の内部２６を有する円筒形の機能支持部４は、その先端に、ジャーナル５を備えている。これは、機能受け部３の両側において装置することができ、それ自体公知の固定手段を用いて、たとえばクリップを用いて、確実に機能受け部３に固定することができる。機能支持部４のジャーナル５上にはそれぞれ２個の揺り腕８が互いに鏡面対称に取り付けられており、軸受けおいて相互に保持されている。弾性要素７がジャーナル５の上方に圧縮バネの形態で、あるいはジャーナル５の下方に引張りバネの形態で装置されており、これによって揺り腕８が相互に間隔Ｘになるまで動かされる。鏡面対称の揺り腕８は固定あるいは回転ガイドローラー９と相互に連結されている。相対している揺り碗８の間隔が最も広い個所に、電気バリカン２１の剪断頭部２７を取り外し可能に固定するための受入れ部１１が設けられている。受入れ部１１は、電気バリカン２１に取り付けることのできる、それ自体公知の、櫛状の形態に作られている。機能支持部４、弾性要素７によって相対的に可動の揺り腕８、ガイドローラー９および受入れ部１１は全体で一つの互換性構造群を成している。この構造群が機能受け部３に取り付けられて、毛髪支持部２と相互に作用し合うことによって、裂け目の生じた毛先部分３０を的確に除去することができる。枝毛剪断装置２０が開いている場合には、毛髪支持部２によって剪断すべき毛髪２８が支えられ、他方で機能支持部４に設けられている中心隆起６によって揺り腕８およびガイドローラー９が毛髪支持部２に相対して中心位置に据えられる。枝毛剪断装置２０が閉じるのに伴なって、毛髪２８は毛髪支持部２に支えられて、自動的に開くガイドローラー９の間に誘導される。枝毛剪断装置２０が閉まっている場合には、図２に示されているように、毛髪２８は相互に接近するガイドローラー９によって毛髪支持部２の周囲に接してぴんと張られた状態で保持される。この場合に揺り腕８の内側に空間が設けられていることによって、毛髪支持部２は周囲に接触せず、従ってガイドローラー９も相互に接近した位置を取ることができる。毛髪２８が、生え際１６から引っ張られて、閉じた状態の枝毛剪断装置２０に関与する場合に、ガイドローラー９の周囲に設けられている細溝によって毛髪の幅が一定に保持される結果、毛先部分３０を最適状態で剪断することができる。この場合にガイドローラー９の端部がフランジのように突き上がった形態で揺り腕８内に埋め込まれていることによって、毛髪の挟み込みが避けられる。毛髪支持部２によって支えられた裂け目の生じた毛先部分３０は、受入れ部１１に対して着脱可能に取り付けられている電気バリカン２１によって、矢印１７の方向に一直線に剪断、除去される。電気バリカン２１は平行に配置されているガイドローラー９に対して、たとえば１５ないし４５度の角度で、毛髪支持部２の対称軸から離なれた位置に配置されている。この場合に毛髪支持部２に対する電気バリカン２１の距離を指示する剪断刃域指示体１３によって、健全な毛髪の剪断を阻止することができる。裂け目の生じた毛先部分３０だけを除去するので、この行程は時間がかからず、問題なく繰り返し行うことができる。毛髪の性状に応じて固定ガイドローラー９あるいは回転ガイドローラー９のどちらを使用するかは、この枝毛剪断装置２０の使用者の経験に委ねられる。さらに機能受け部３において機能支持部４が両側に取り付けできるように設計されていることによって、この枝毛剪断装置２０は右利きの人でも、また左利きの人でも使用することができる。
電気バリカン２１用の枝毛剪断装置２０．１の第２実施例が図３ないし図８に示されている。この場合枝毛剪断装置２０．１は電気バリカン２１に対して取り外しできる付属品１５．１として作られている。付属品１５．１は第１方向転換部４１および第２方向転換部４２を備えており、これらは相互に平行に間隔Ｘを置いて固定配置されている。間隔Ｘは第３方向転換部４３の直径よりも大きく、これによって毛髪２８は第１方向転換部４１および第２方向転換部４２に妨害されずに吊り上げられる。第１方向転換部４１および第２方向転換部４２は付属品１５．１の二つの側壁２９において連結されている。第３方向転換部４３は、第１位置Ａから、回転支点１４．１に関して第１方向転換部４１と第２方向転換部４２の間を通って、第１方向転換部４１および第２方向転換部４２に対して平行な第２位置Ｂに移行することができ、これに伴なって第１方向転換部４１および第２方向転換部４２の下方位置にあった毛髪２８が、第３方向転換部４３に支えられて移行し、実質的に逆向きのＵ字形を形成する。この場合に電気バリカン２１に関して剪断頭部２７が固定位置に配置されていることによって、毛髪２８が生え際１６から方向転換部４１、４２、４３を経て矢印１７の方向に引っ張られる際に、第３方向転換部４３の上部域Ｙにおいて突き出た、裂け目の生じた毛先部分３０だけが剪断頭部２７によって剪断され得る。この場合に第１方向転換部４１および第２方向転換部４２は付属品１５．１に固定連結されているのに対して、第３方向転換部４３は付属品１５．１の側面において片側だけが回転支点１４．１と連結されている。第３方向転換部４３の自由端４４には、第３方向転換部４３の位置を第１位置Ａから第２位置Ｂに、またその逆の位置に移行させるための誘導部４５が設けられている。第１、第２および第３方向転換部４１、４２、４３はＵ字形の断面を備えており、これによって価格的に有利な射出成形部品を使用することができる。第３方向転換部４３は付属品１５．１に対して右側あるいは／および左側に選択的に取り付けることができるように作られており、これによって右利きの人も、左利きの人も随意に使用することができる。第１、第２および第３方向転換部４１、４２、４３の表面２４は滑らかに作られている。また第１、第２および第３方向転換部４１、４２、４３は選択的に固定ローラー９あるいは軸回転可能なローラー９の形態を採ることができる。原則として表面２４は、方向転換部４１、４２、４３と毛髪２８間の摩擦を抑えることができる程度に滑らかであれば充分である。付属品１５．１は、第３方向転換部４３を除いて、単一構造体として合成樹脂から製造されている。操作しやすいように第３方向転換部４３は第１位置Ａおよび第２位置Ｂに対する留め機構４７を備えている。電気バリカン２１に対して枝毛剪断装置２０．１を着脱可能に取り付けることができるように、付属品１５．１は剪断頭部２７に対する受入れ部１１を備えている。受入れ部１１は、電気バリカン２１に取り付けることのできる、それ自体公知の、櫛のような形態に作られている。点線で示されているように、第３方向転換部４３は毛髪押さえ機構４８を備えている。毛髪押さえ機構４８は第１方向転換部４１あるいは第２方向転換部４２の少なくとも一方と対応しており、これによって引っ張られた状態の毛髪２８にさらに穏やかな引っ張りが付加される結果、裂け目の生じた毛先部分３０が第３方向転換部４３の上部域Ｙにおいて非常に望ましい状態で突き出し得る。毛髪押さえ具４８は毛髪２８を押さえるためにブラシ４９を備えていることが好ましい。
【０００６】
図３および図４は、電気バリカン２１の取り付けられていない第１位置Ａにおける付属品１５．１を別の角度から見た場合の図面である。図５および図６は、図３および図４に示されている第１位置Ａにおける付属品１５．１に対して電気バリカン２１を装置し、第３方向転換部４３上に毛髪２８が関与した場合の図面である。
【０００７】
図７および図８は、電気バリカン２１の取り付けられた第２位置Ｂにおける付属品１５．１を別の角度から見た場合の図面である。この二つの図面から突き出た、裂け目の生じた毛先部分３０を剪断する場合の剪断頭部２７の位置および機能がはっきり判る。電気バリカン２１の受入れ部１１は、剪断頭部２７を固定位置にしっかり固定することができるような形態に作られている。
電気バリカン２１用の枝毛剪断装置２０．２の第３実施例が図９ないし図１４に示されている。この場合枝毛剪断装置２０．２は電気バリカン２１に対して取り外しできる付属品１５．２として作られている。付属品１５．２は第１方向転換部４１および第２方向転換部４２を備えており、これらは相互に平行に間隔Ｘを置いて固定配置されている。間隔Ｘは第３方向転換部４３の直径よりも大きく、これによって第１方向転換部４１および第２方向転換部４２に妨害されることなく、毛髪２８が吊り上げられる。第１方向転換部４１および第２方向転換部４２は付属品１５．２の二つの側壁２９に連結されている。第３方向転換部４３は、第１位置Ａから、回転支点１４．２に関して第１方向転換部４１と第２方向転換部４２の間を通って、第１方向転換部４１および第２方向転換部４２に対して平行な第２位置Ｂに移行することができ、これに伴なって第１方向転換部４１および第２方向転換部４２の下方位置あった毛髪２８が、第３方向転換部４３に支えられて移行し、実質的に逆向きのＵ字形を形成する。この場合に電気バリカン２１に関して剪断頭部２７の位置が固定されていることよって、毛髪２８が生え際１６から方向転換部４１、４２、４３を経て矢印１７の方向に引っ張られる際に、第３方向転換部４３の上部域Ｙにおいて突き出た、裂け目の生じた毛先部分３０だけが剪断頭部２７によって剪断され得る。この場合に第１方向転換部４１および第２方向転換部４２は付属品１５．２に固定連結されているのに対して、第３方向転換部４３は側面において回転レバー４６と連結されており、この回転レバー４６が、回転できるように、付属品１５．２に関して回転支点１４．２と連結されている。これによって第３方向転換部４３は第１位置Ａから第２位置Ｂに、またその逆の位置に移行できる。回転レバー４６を備え付けることによって、回転レバー４６の位置が第１位置Ａと第２位置Ｂ間の何れにあるかに関係なく、全ての方向転換部４１、４２、４３は常に平行に配置され得る。これによって、第１位置Ａから第２位置Ｂに移行する間に、第３方向転換部４３上の毛髪２８が不本意にも滑り落ちるという事態を回避することができる。さらにこれによって、付属品１５．２を非常にコンパクトな形態にすることができる。第１、第２および第３方向転換部４１、４２、４３はＵ字形の断面を有する。これによって価格的に有利な射出成形部品を使用することができる。第３方向転換部４３は付属品１５．２に対して右側あるいは／および左側に選択的に取り付けることができるように作られており、これによって右利きの人も、左利きの人も随意にこの枝毛剪断装置２０．２を使用することができる。第１、第２および第３方向転換部４１、４２、４３は滑らかな表面２４を有する。また第１、第２および第３方向転換部４１、４２、４３は選択的に固定ローラー９あるいは軸回転可能なローラー９の形態を採ることができる。付属品１５．２は、第３方向転換部４３を除いて、単一部分品として合成樹脂から製造されている。操作しやすいように第３方向転換部４３は第１位置Ａおよび第２位置Ｂに対する留め機構４７を備えている。電気バリカン２１に対してこの枝毛剪断装置２０．２を着脱可能に取り付けることができるように、付属品１５．２は剪断頭部２７に対する受入れ部１１を備えている。受入れ部１１は、電気バリカン２１に取り付けることのできる、それ自体公知の、櫛のような形態に作られている。第３方向転換部４３は毛髪押さえ機構４８を備えている。毛髪押さえ機構４８は第１方向転換部４１あるいは第２方向転換部４２の少なくとも一方と対応することができ、これによって引っ張られた状態の毛髪２８にさらに穏やかな引っ張りが付加される結果、裂け目の生じた毛先部分３０が第３方向転換部４３の上部域Ｙにおいて非常に望ましい状態で突き出し得る。毛髪押さえ機構４８は毛髪２８を押さえるためにブラシ４９を備えていることが好ましい。
【０００８】
図９および図１０は、電気バリカン２１の取り付けられていない第１位置Ａにおける付属品１５．２を別の角度から見た場合の図面である。図１１および図１２は、図９および図１０に示されている第１位置Ａにおける付属品１５．２に対して電気バリカン２１を装置し、第３方向転換部４３上に毛髪２８を配置した場合の図面である。
【０００９】
図１３および図１４は、電気バリカン２１の取り付けられた第２位置Ｂにおける付属品１５．２を別の角度から見た場合の図面である。これらの図面から、突き出た、裂け目の生じた毛先部分３０を剪断する場合の剪断頭部２７の位置および機能をはっきりと確認することができる。電気バリカン２１に対する受入れ部１１は、剪断頭部２７を固定位置にしっかり固定することができるような形態に作られている。
【図面の簡単な説明】
【図１】
図１は、第１実施例における、開いた状態の枝毛剪断装置の側面図である。
【図２】
図２は、図１と同じ第１実施例における、枝毛剪断行程中の、毛髪の関与した状態の枝毛剪断装置の正面図である。
【図３】
図３は、第２実施例における異なる状態を示す図面である。
【図４】
図４は、第２実施例における異なる状態を示す図面である。
【図５】
図５は、第２実施例における異なる状態を示す図面である。
【図６】
図６は、第２実施例における異なる状態を示す図面である。
【図７】
図７は、第２実施例における異なる状態を示す図面である。
【図８】
図８は、第２実施例における異なる状態を示す図面である。
【図９】
図９は、第３実施例における異なる状態を示す図面である。
【図１０】
図１０は、第３実施例における異なる状態を示す図面である。
【図１１】
図１１は、第３実施例における異なる状態を示す図面である。
【図１２】
図１２は、第３実施例における異なる状態を示す図面である。
【図１３】
図１３は、第３実施例における異なる状態を示す図面である。
【図１４】
図１４は、第３実施例における異なる状態を示す図面である。
【符号の説明】
１　　　　　　　　　　　　取っ手
２　　　　　　　　　　　　毛髪支持部
３　　　　　　　　　　　　機能受け部
４　　　　　　　　　　　　機能支持部
５　　　　　　　　　　　　ジャーナル
６　　　　　　　　　　　　中央隆起
７　　　　　　　　　　　　弾性要素
８、８．１　　　　　　　　揺り腕
９、９．１　　　　　　　　ガイドローラー
１０　　　　　　　　　　　毛髪誘導路
１１　　　　　　　　　　　受入れ部
１２　　　　　　　　　　　接触面
１３　　　　　　　　　　　剪断刃境界指示体
１４、１４．１、１４．２　回転支点
１５、１５．１、１５．２　付属品
１６　　　　　　　　　　　生え際
１７　　　　　　　　　　　矢印
２０、２０．１、２０．２　枝毛剪断装置
２１　　　　　　　　　　　電気バリカン
２２　　　　　　　　　　　下方脚部
２３、２３．１　　　　　　取っ手部分
２４　　　　　　　　　　　表面
２５　　　　　　　　　　　上方脚部
２６　　　　　　　　　　　内部
２７　　　　　　　　　　　剪断頭部
２８　　　　　　　　　　　毛髪
２９　　　　　　　　　　　側壁（空間）
３０　　　　　　　　　　　毛先部分（枝毛）
４１　　　　　　　　　　　第１方向転換部
４２　　　　　　　　　　　第２方向転換部
４３　　　　　　　　　　　第３方向転換部
４４　　　　　　　　　　　自由端
４５　　　　　　　　　　　誘導部
４６　　　　　　　　　　　回転レバー
【国際公開パンフレット】
2004512874.tif 000003
2004512874.tif 000004
2004512874.tif 000005
2004512874.tif 000006
2004512874.tif 000007
2004512874.tif 000008
2004512874.tif 000009
2004512874.tif 000010
2004512874.tif 000011
2004512874.tif 000012
2004512874.tif 000013
2004512874.tif 000014
2004512874.tif 000015
2004512874.tif 000016
2004512874.tif 000017
2004512874.tif 000018
2004512874.tif 000019
2004512874.tif 000020
2004512874.tif 000021
2004512874.tif 000022
2004512874.tif 000023
2004512874.tif 000024
2004512874.tif 000025
2004512874.tif 000026
2004512874.tif 000027
2004512874.tif 000028
2004512874.tif 000029
【国際調査報告】
2004512874.tif 000030
2004512874.tif 000031
2004512874.tif 000032
2004512874.tif 000033